【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
組織学的組織試料支持デバイスであって、
少なくとも１つの側壁と底壁とを備える陥凹部を有する組織カセットであって、前記組織カセットは、ミクロトームでうまく薄切され得る材料から形成され、組織を固定し、処理し、染色するために使用される溶媒および化学薬品による劣化に強い、組織カセットと、
底縁を含むフレームであって、前記組織カセットは前記フレームに移動可能に結合されている、フレームと、
前記フレームに結合されている蓋と、
を備え、
前記蓋および前記組織カセットは、前記フレームに関して第１の位置から第２の位置に移動することができ、前記第２の位置において、前記側壁の少なくとも一部は、前記ミクロトームで薄切するために前記フレームの前記底縁を越えて延在する、組織学的組織試料支持デバイス。
【請求項２】
前記蓋は、少なくとも１つのブレークアウェイ接続部とともに前記フレームに結合される請求項１に記載の組織学的組織試料支持デバイス。
【請求項３】
前記組織カセットは、少なくとも１つのブレークアウェイ接続部とともに前記フレームに結合される請求項１に記載の組織学的組織試料支持デバイス。
【請求項４】
前記蓋は、前記ブレークアウェイ接続部を壊すカッターをさらに備える請求項３に記載の組織学的組織試料支持デバイス。
【請求項５】
前記組織カセット、蓋、およびフレームは、単一材料から成形される請求項１に記載の組織学的組織試料支持デバイス。
【請求項６】
前記組織カセットおよびフレームは、異なる材料から共成形または挿入成形される請求項１に記載の組織学的組織試料支持デバイス。
【請求項７】
処理および包埋時に組織と係合し、組織を適所に保持するように構成されているミクロトーム薄切可能な弾力性のある構造物をさらに備え、
前記蓋は、前記弾力性のある構造物に結合されており、
前記蓋は、前記弾力性のある構造物を圧迫して組織に当てるために使用されており、
前記弾力性のある構造物は、ミクロトームでうまく薄切することができ、組織を固定し、処理し、染色するために使用される溶媒および化学薬品、ならびに組織が陥凹部内の弾力性のある構造物によって保持されている間に組織を包埋するために使用される包埋材料の浸潤を可能にするように多孔質である、請求項１に記載の組織学的組織試料支持デバイス。
【請求項８】
前記組織カセットは、ミクロトームでうまく薄切され得る第１の材料から形成され、組織学的処置において組織試料を固定し処理するために使用される溶媒および化学薬品による劣化に強くなっており、
前記フレームは、前記第１の材料と異なる第２の材料から形成され、且つ前記組織カセットと一体に形成される、請求項１に記載の組織学的組織試料支持デバイス。
【請求項９】
前記フレームは周辺部分をさらに備え、前記蓋は、前記周辺部分に分離可能に結合されており、
前記蓋は、前記蓋及び前記組織カセットが前記第１の位置から前記第２の位置へ移動する場合に前記周辺部分から分離される、請求項１に記載の組織学的組織試料支持デバイス。
【請求項１０】
組織学的組織試料支持デバイスを使用して組織学的検査のために１つまたは複数の生検組織試料を準備するための方法であって、前記組織学的組織試料支持デバイスはミクロトーム薄切可能組織カセットと、周辺部分を含むフレームと、前記フレームの前記周辺部分に分離可能に結合される蓋とを備える、方法において、
組織試料を前記ミクロトーム薄切可能組織カセット内に位置決めするステップと、
前記ミクロトーム薄切可能組織カセットが前記フレームに関して第１の位置にあるときに前記フレームの前記周辺部分と前記蓋とを閉じるステップと、
前記フレームの前記周辺部分から前記蓋を分離するステップと、
前記蓋および前記ミクロトーム薄切可能組織カセットを前記フレームに関して第２の位置に移動するステップであって、前記第２の位置において、前記ミクロトーム薄切可能組織カセットの一部がミクロトームで薄切するために前記フレームの縁を越えて延在する、ステップと、
を含む、方法。
【請求項１１】
前記蓋および前記ミクロトーム薄切可能組織カセットを前記第２の位置に移動する前または移動した後に、前記ミクロトーム薄切可能組織カセットおよび前記組織試料を、前記組織試料中の流体を硬化性材料で置き換えるプロセスに通すステップと、
前記ミクロトーム薄切可能組織カセットおよび前記組織試料を包埋材料中に包埋するステップと、
前記包埋材料を硬化させて１つのブロックにするステップと、
前記ブロックをミクロトームで薄切りにして前記包埋材料、前記ミクロトーム薄切可能組織カセット、および前記組織試料の薄片にするステップと、
をさらに含む請求項１０に記載の方法。
【請求項１２】
組織学的組織試料をミクロトーム内で薄切しながら前記組織学的組織試料を保持するための装置を製造するための方法であって、
少なくとも１つの側壁と底壁とを備える陥凹部を有する組織カセットを成形するステップであって、前記組織カセットはミクロトームでうまく薄切され得る第１の材料から形成され、前記組織カセットはさらに組織学的処置の際に前記組織学的組織試料を固定し処理するために使用される溶媒および化学薬品による劣化に強い、ステップと、
フレームを、前記フレームが前記組織カセットと一体に結合されるように成形するステップであって、前記フレームは周辺部分を有し、前記第１の材料と異なる第２の材料から形成され、前記周辺部分に分離可能に結合される蓋を備える、ステップと、
を含む、方法。
【請求項１３】
組織学的組織試料をミクロトーム内で薄切しながら前記組織学的組織試料を保持するための装置を製造するための方法であって、
少なくとも１つの側壁と底壁とを備える陥凹部を有する組織カセットを成形するステップであって、前記組織カセットはミクロトームでうまく薄切され得る第１の材料から形成され、前記組織カセットはさらに組織学的処置の際に前記組織学的組織試料を固定し処理するために使用される溶媒および化学薬品による劣化に強い、ステップと、
フレームを、前記フレームが前記組織カセットと一体に結合されるように成形するステップであって、前記フレームは周辺部分を有し、前記第１の材料から形成され、前記周辺部分に分離可能に結合されている蓋を備える、ステップと、
を含む、方法。
【請求項１４】
組織学的組織試料支持デバイスを使用して組織学的検査のために１つまたは複数の生検組織試料を準備するための方法であって、前記組織学的組織試料支持デバイスはミクロトーム薄切可能組織カセットと、フレームと、前記フレームに結合されている蓋とを備える、方法において、
組織試料を前記ミクロトーム薄切可能組織カセット内に位置決めするステップと、
前記ミクロトーム薄切可能組織カセットが前記フレームに関して第１の位置にあるときに前記蓋を閉じるステップと、
前記蓋および前記ミクロトーム薄切可能組織カセットを前記フレームに関して第２の位置に移動するステップであって、前記第２の位置において、前記ミクロトーム薄切可能組織カセットの一部がミクロトームで薄切するために前記フレームの縁を越えて延在する、ステップと、
を含む、方法。
【請求項１５】
前記蓋および前記ミクロトーム薄切可能組織カセットを前記第２の位置に移動する前または移動した後に、前記ミクロトーム薄切可能組織カセットおよび前記組織試料を、前記組織試料中の流体を硬化性材料で置き換えるプロセスに通すステップと、
前記ミクロトーム薄切可能組織カセットおよび前記組織試料を包埋材料中に包埋するステップと、
前記包埋材料を硬化させて１つのブロックにするステップと、
前記ブロックをミクロトームで薄切りにして前記包埋材料、前記ミクロトーム薄切可能組織カセット、および前記組織試料の薄片にするステップと、
をさらに含む請求項１４に記載の方法。